(57)【要約】      （修正有）【課題】大型２ストロークディーゼルエンジンのシリンダーライナーと吸入バルブにおいて、吸入バルブの実用的な製造を可能とし、エンジンへの組み込みを可能とし、エンジン効率を良いものとし、小型吸入バルブの位置要求を可能とする。【解決手段】吸入バルブ１は、エンジンのピストン上方のシリンダー内のシリンダー容積を備えた掃気領域に接続されており、シリンダーの円筒壁内にある個々の流入スリット８のリング内にあり、いくつかの可動バルブ要素６、７をもつバルブ本体５で構成される。バルブ本体５は、気体流通路内に可動バルブ要素６，７を設け、開口位置に移動して気体流通路を開口し、閉口位置に移動して気体流通路を閉口する。【選択図】図９
2013155737.tif 000002
【特許請求の範囲】
【請求項１】
ユニフロータイプの大型２ストロークエンジンに用いる吸入バルブ（１）であって、
前記エンジンのシリンダーの円筒壁（３）内に伸びて通過する流入スリットのリング（４）内に伸びて通過する気体流通路を閉口および開口するものであり、
前記エンジンのピストン上方のシリンダー内のシリンダー容積を備えた前記エンジンの掃気領域に接続されており、
そこにおいて、吸気バルブ（１）は、
前記掃気領域内の圧力が前記シリンダー容量内の圧力よりも低い場合、
気体流通路を止めるものであり、
前記掃気管の圧力が前記シリンダー容量内の前記圧力よりも高い場合、
気体流通路を解放するものであり、
吸入バルブ（１）は、
いくつかの可動バルブ要素（６、７）を有するバルブ本体（５）を備え、
前記バルブ本体（５）は、
前記気体流通路内に前記可動バルブ要素（６、７）を位置取りするために、
前記シリンダーに搭載可能であり、
そこにおいて前記可動バルブ要素（６、７）は、
気体流通路を開口する解放位置から気体流通路を閉口する停止位置へ動いて
戻ることができるように、角度付けされており、
前記吸入バルブ（１）は、
流入スリットの前記リング（４）の個々の流入スリット（８）内に伸びて
通過する気体流通路に、閉口と開口とをするよう設計されており、
前記バルブ本体（５）は、
個々の流入スリット（８）の好ましくは前記シリンダーの外側に取り付け可能であり、
シリンダーまで貫通する複数のガス流路（１６）である個々の流入スリット（８）を密封するように形成されており、
そこにおいて、前記複数の可動バルブ要素（６、７）は、
前記複数のガス流路（１６）を開口および閉口するために寸法づけされ配置されており、
そこにおいて、前記個々の流入スリット（８）に隣接する流入スリットの前記リング（４）の流入スリット（８）が、同様の吸入バルブ（１）となるように、前記吸入バルブ（１）は寸法付けされ、バルブ本体（５）は搭載されるものであり、
そこにおいて、バルブ本体（５）は、
少なくとも部分的に前記個々の流入スリット（８）をそれらによって満たし、前記個々の流入スリット（８）内に少なくとも実質的に収容するために形成された収容部と、
少なくとも実質的に流入スリット（８）内に収容される前記可動バルブ要素（６、７）
とから少なくとも実質的になる。
【請求項２】
請求項１記載の吸入バルブ（１）であって、
前記バルブ本体（５）の前記収容部は、
前記個々の流入スリット（８）内側の組み上げたシリンダーの内側から見て、
輪郭が細長い形状の前記個々の流入スリット（８）を、有するものであり、
前記個々の流入スリット（８）の幅全体を上回る前記個々の流入スリット（８）の内周表面（３１）の頂上部に接触するために外側表面が形成された一方の狭部側にある連結壁頭部（１３ａ）、例えば、前記個々の流入スリット（８）内の前記バルブ本体（５）の前記収容部（５）の最外端から前記バルブ本体（５）の前記収容部の最内端へ突き出ており好ましくは前記登場部に接触している凸状曲面壁であり、
流入スリット（８）の幅全体を上回る前記個々の流入スリット（８）の内周表面（３１）の底部に接触するために外側表面が形成されたもう一方の狭部側にある連結壁底部（１３ｂ）、例えば、前記個々の流入スリット（８）内の最外端から前記最内端へ突き出ており好ましくは前記底部に接触する凸状曲面壁であり、
中央部（１０）は、ガス流路（１６）によって貫通する前記連結壁頭部（１３ａ）と前記連結壁底部（１３ｂ）とを相互接続している。
【請求項３】
請求項２に記載の吸入バルブ（１）であって、組み立てられた状態の前記個々の吸入バルブ（１）における前記中央部（１０）の水平断面図は、
輪郭の枠が実質的に三角形であり、前記連結壁頭部（１３ａ）と前記連結壁底部（１３ｂ）との間の全体長さを超えるように一定に固定し形成しているものであり、横側面は内側側面にテーパー加工されており、好ましくは前記最外端から最内端にのびるものであり、
両方の前記横側面は、
前記個々の流入スリット（８）の前記内周表面（３１）の側面部分全長を超え、好ましくは前記ガス流路（１６）によって貫通する両方の前記横側面に接触するものであり、
そこにおいて特に前記横側面は、前記三角形の枠を二等辺とせず、好ましくは近似的に２０°の両側面の傾斜角によって二等辺三角形を傾けるために異なる長さを備える。
【請求項４】
請求項３に記載の吸入バルブ（１）であって、
そこには、テーパー加工された中央部（１０）の側面それぞれ上に、
前記個々の流入スリット（８）の前記内周表面（３１）の側面部分へ接触するための前記組み立てられた状態で中央部（１０）の前記横側面からの横方向好ましくは水平方向に突出した、少なくとも一つの、好ましくは複数の相互に仕切られた支持用裂部（１２）が設けられていることを特徴とする。
【請求項５】
請求項２および４のいずれかに記載の吸入バルブ（１）であって、
前記流凹部（１０）は、両方の側面部の前記収容部の前記最外端部の近傍に、
前記シリンダーの外側表面の端部にある一致する噛合凹部と
前記個々の流入スリット（８）の前記内周表面（３１）の側面部分と噛合うように、
連結壁頭部（１３ａ）と連結壁底部（１３ｂ）の上方で横方向に一端が飛び出している噛合突起（１９）、を備え、
そこにおいて、噛合突起（１９）は、特にテーパー加工された凹部内に噛合うようにテーパー加工されており、そこにおいて前記噛合突起（１９）は、それらの外側表面上に好ましくは水平横断面の三角形枠外形の前記横側面の角度付け部分上に設けられていることを特徴とする。
【請求項６】
請求項３乃至５のいずれかに記載の吸入バルブ（１）の中央部（１１、１４、１５、１６、１７）において、前記横側面それぞれを、ランド部（１７）最内端の横側に向き合う一つの側面から、最外側ランド部（１１）の横側に向き合う一つの側面へ引き延ばすために、前記連結壁頭部（１３ａ）と前記連結壁底部（１３ｂ）の好ましくはそれらの前記最外端で二つの側面最外側ランド部（１１）は横方向に相互接続しており、そして、ランド部（１７）の最内端は前記連結壁頭部（１３ａ）と前記連結壁底部（１３ｂ）好ましくはそれらの最内端で接続されており、そこにおいて、前記複数あるガス流路（１６）が、好ましくは前記連結頭部（１３ａ）と前記連結底部（１３ｂ）と前記最内側ランド部（１７）と前記側面最外側ランド部（１１）のそれぞれ一つの間で、少なくとも一つが形成されている。
【請求項７】
請求項（６）に記載の吸入バルブ（１）であって、
前記最内側ランド部（１７）と前記側面最外側ランド部（１１）両方は、
前記最内側ランド部（１７）と前記側面最外側ランド部（１１）両方の内側で、
多数の空間が互いに設けられた区分裂け目（１５）の少なくとも一つによって垂直に相互接続されており、ガス流路（１６）は上側を区部裂け目（１５）、下側を区分裂け目（１５）で区切られ、ガス流路（１６）からガスが透過しないようにしたものである。
【請求項８】
前述の請求項のいずれかに記載の吸入バルブ（１）であって、
複数の可動バルブ要素（６、７）は、平らで曲げることができる複数のスプリングリード（６、７）によって形成されている。
【請求項９】
請求項８記載の吸入バルブ（１）において、
前記複数あるスプリングリード（６、７）のそれぞれは、長方形に形成されていると共に、少なくとも一つが組み上げられた状態においてバルブ本体（５）側にある一つの接続部（２２）に接続されており、
好ましくは、前記側面最外側ランド部（１１）が、前記個々の流入スリット（８）の一つの内部に伸びるものであり、
そこにおいて、前記横側面上のバルブ本体（５）の好ましくは中央部（１０）に、いくつかのスプリングリード（６、７）に一致するいくつかのサポート表面（１４、２０）好ましくは平滑面を備え、
そこにおいて、いくつかのスプリングリード（６、７）は、閉めた位置において前記ガス流路（１６）を覆うように支えられる。
【請求項１０】
請求項８又は９に記載の吸入バルブ（１）であって、
中央部（１０）好ましくは噛合突起（１９）の横側が、前記いくつかのスプリングリード（６、７）に一致する好ましくは平面としたいくつかの接続面（１８）を備え、それ故、組み立てた状態では、いくつかのスプリングリード（６、７）は、前記いくつかの接続面（１８）と、前記個々の流入スリット（８）の内周表面の前記側面部分との間で固定されるものとなり、そこにおいて前記いくつかのスプリングリード（６、７）は、なるべく、接着剤、はんだ付け、スポット溶接によっていくつかの接続面（１８）に事前固定される。
【請求項１１】
請求項８乃至１０のいずれかに記載の吸入バルブ（１）であって、それぞれのガス流路（１６）側にあるランド部（１７）の最内端は、以下のものを備える、
ガス流路（１６）がある前記バルブ本体（５）の収容部の側にある少なくともいくつかのサポート表面（１４、２０）部分および／または、少なくとも前記側面最外側ランド部（１１）の一つに形成された、前記バルブ本体（５）の適応位置側にある複数のスプリングリード（６、７）のための複数の平面は、
前記最内側ランド部（１７）と前記接続面（１８）との間の領域にあり、
少なくとも前記いくつかのサポート表面（１４、２０）として形成された相互接続ランド部（１４）によって、最内側ランド部（１７）は相互接続されている。
【請求項１２】
前述の請求項のいずれかに記載の吸入バルブ（１）であって、前記バルブ本体（５）は、鋳鉄の一体品であり、好ましくは鼠鋳鉄であることを特徴とする。
【請求項１３】
エンジンシリンダーの壁（３）部分となる円筒状壁（３）を有する、ユニフロータイプの大型２ストロークエンジンのためのシリンダーライナー（２）であって、そこにおいて、円筒状壁（３）は、前記エンジンのピストン上のシリンダー内シリンダー体積を有する前記エンジンの掃気領域に接続するために、前記円筒状壁（３）内に伸びて通過する流入スリットの少なくとも一つのリングによって貫通され、流入スリット（４）の前記リングの流入スリット（８）それぞれは、前述した請求項に記載されそして流入スリットの前記リング（４）のそれぞれの流入スリット（８）に関する一つの分けられた吸入バルブ（１）として形成されており、前記吸入バルブ（１）のための取り付け手段（３２、３３）がそれらに設けられていることを特徴とする。
【請求項１４】
請求項１６に記載のシリンダーライナー（２）であって、
個々の流入スリット（８）それぞれにある取り付け手段（３２、３３）は、
好ましくは前記シリンダーライナー（２）の外側表面の端部にテーパー加工した噛合凹部（３２）と、前記吸入バルブそれぞれの上に形成された噛合突起として、個々の流入スリット（８）の前記内周表面（３１）に側面部分を備える  および／または個々の流入スリット（８）それぞれにある取り付け手段（３２、３３）は、好ましくは流入スリットの前記リング（４）に隣接する流入スリット（８）それぞれの間に単列ネジ穴（３３）を備える。
【請求項１５】
円筒壁（３）と共に少なくとも一つのシリンダーを有するユニフロータイプの大型２ストロークディーゼルエンジンであって、前記円筒壁（３）は、前記エンジンのピストン上の前記シリンダー内のシリンダー体積を有する前記エンジンの掃気領域と接続するため、少なくとも一つの前記円筒壁内に伸びて通過する流入スリットのリング（４）によって貫通されており、流入スリットの前記リング（４）の個々の流入スリットそれぞれは、前述の請求項１から１２の一つに記載された別々の吸入バルブ（１）と共に設けられている。
【請求項１６】
請求項１５に記載されたエンジンであって、個々それぞれの流入スリット（８）が、好ましくは前記シリンダーライナー（２）の外表面の端部にあるテーパー加工された噛合い凹部かつ、前記個々の流入スリット（８）の前記内周表面（３１）の側面部分に設けられており、前記吸入バルブ（１）それぞれは、前記噛合凹部内に噛合わせるために横方向に一端が伸びる前記噛合い突起（１９）を有する収容部と共に設けられている。
【請求項１７】
請求項１５または１６に記載のエンジンであって、流入スリットの前記リング（４）が隣接する少なくとも２つの流入スリット（８）の間にあり、それらは、円筒壁（３）の介入ランド部（９）にあり、その上にある載桟（３４）は、例えば、単列のネジ穴（３３）へネジ（３５）を螺着することで前記介入ランド部（９）内に固定されており、そこにおいて、前記載桟（３４）は、介入ランド部（９）の横表面から上方へ突き出ており、流入スリットの前記リング（４）に隣接する二つの流入スリット（８）内の吸入バルブ（８）を押さえている。
【発明の詳細な説明】
【技術分野】
【０００１】
この発明は、大型２ストロークユニフローエンジンに関するものであり、前述の請求項１５で述べたように、特にユニフロータイプの大型２ストロークディーゼルエンジンに関するものである。
この発明は、大型２ストロークエンジン特に大型２ストロークディーゼルエンジン向けの、前述の請求項１で述べたような吸入バルブと、前述の請求項１３で述べたようなシリンダーライナーに関する。
【背景技術】
【０００２】
汎用的な大型２ストロークエンジンは少なくとも一つの円筒壁を有し、そこにおいて前記円筒壁は、前記エンジンピストン上のシリンダー内のシリンダー容積がエンジンの掃気領域に接続するために、円筒壁内を伸びて通過する流入スリットのリングによって貫通している。
【０００３】
このようなユニフローエンジンにおいてガスは、燃焼チャンバーの一つの側の円周方向壁にある流入スリットの前記リングから、通常排気バルブとして燃焼チャンバーに対向する側のシリンダー側端部上に設けられる出口へ、（言い換えれば、ユニフローエンジンにおいて、この方向は同じである）流れる。
【０００４】
ピストンが燃焼チャンバー内の流入スリットのリングの下側へ移動し終えた後、燃焼チャンバー内の圧力は、ピストンの爆発工程の間に下掃気領域内の圧力値よりも下がる時、リングにおいて、開口部吸気ポートまたは、エンジンの掃気領域と燃焼チャンバーを接続されたシリンダーライナー内のスリットが、燃焼チャンバーの掃気を始める。
【０００５】
もしも、ピストン（もしくはリングがセットされたピストン）が、爆発工程内の流入スリット開口部のリングを通過し、燃焼チャンバー内の圧力が掃気領域内よりも大きい場合、掃気領域内へのガス逆流が発生し、有用なエネルギーの望まれない損失となるであろう。さらに、排気バルブは、爆発工程の直前に流入スリットを顕在化させるためにピストンが移動して、開けられる。例えば、燃焼チャンバー内の圧力が６〜１０ｂａｒの開口時、ガスの排気管への流出は、爆発工程内のピストンの働きとして用いることができる過剰圧力を減少させる。
【０００６】
したがって、新鮮な大気などの掃気ガスによる燃焼チャンバー掃気のための吸入ポート開口前にピストンのストローク動作を引き延ばすための、燃焼行程での吸入ポートと排気バルブの開口を抑制することが望まれている。しかしながら、もし流入スリットのリングが前述のような利用可能エネルギーの望まない損失を防ぐためにシリンダーライナー下側に作られていた場合、掃気は、ピストンまたは、特にさらに設けたピストンリングが圧縮工程の開口した流入スリットのリングを通過する時、という圧縮工程の早い段階で中断され、それらによって流入スリットを通りガス流路を切断する。
【０００７】
この目的を達成するために、爆発工程の間の開口を遅れさせる吸入バルブを使用する技術が知られている、例えば、圧縮工程と爆発工程との間において、流入スリットの閉じるタイミングを非対称に設計するものがある。そして、爆発工程の間、流入スリットのタイミングを遅れさせることは、ピストン移動の時間をかなり引き延ばすのに対して、圧縮工程の間、流入スリットのタイミングを遅れさせることは、ピストン移動の終りを引き延ばすものではない。
【０００８】
ユニフロータイプの大型２ストロークエンジンの一般的な吸入バルブは、前記エンジンのシリンダーの円筒壁を通過する流入スリットのリングを通り抜ける気体流通路の開口と閉口を行うものであり、前記エンジンのピストン上側のシリンダー内のシリンダー容積を備える前記エンジンの掃気領域に接続されているものであり、前記掃気領域内の圧力がシリンダー体積内の圧力より下がった場合に気体流通路を閉じるものであり、前記掃気管内の圧力がシリンダー体積内の圧力より上がった場合に気体流通路を開けるものである。この目的を達成するために、前記吸入バルブは、いくつかの可動バルブ要素を持つバルブ本体を備える。前記バルブ本体は、前記気体流通路内に可動バルブ要素を配置するため前記シリンダー上に設置され、そこにおいて、前記可動バルブ要素は、気体流通路が開口位置の時それらが、開口位置から閉口位置へ移動できるように配置され、気体流通路は閉じられ、そして元に戻ることができる。
【０００９】
例えばヨーロッパ特許出願ＥＰ１７８８２１８ＡＺには、シリンダーライナーの内側に環状の吸入バルブを搭載したものが開示されており、そのバルブ位置は、吸入ポートが開閉可能で、磁力バルブによってコントロールされる水圧によって駆動される。
【００１０】
しかしながら、環状の吸入バルブを燃焼チャンバー内に搭載すると、交換が困難となり（例えば、ピストンリング）ピストンは吸入バルブの表面と、吸入バルブ自身と吸入バルブ上のシリシンダーライナーの間の溝のリングとを剥離してしまうものであった。
【００１１】
このように、他に知られている従来技術例も、吸入バルブがシリンダーライナーの外側に搭載されたものである。
【００１２】
例えば、日本国特許出願公開ＪＰ５９−２０３８２０号には吸入バルブに配置が開示されており、そこにおいてリング部分は、シリンダーライナー内の流入スリットにリング部分が位置合わせされるように、シリンダーライナー周辺のリングとして形成されている。吸入バルブは可動バルブ要素を有する、つまり円筒形のバルブピストンは、リング部スリット内で、回転可能に配置される。バルブ位置において、それらは二つの風洞を持ち、それは開口状態から閉口状態またはその逆移動のバルブピストン回転をさせるために、選択的に加圧空気を供給する。この方法は、エンジンピストンの動きとバルブピストンの動きとを同期させるのが困難である。それゆえ、その他の例においては、吸入バルブはリードのような消極的なバルブ要素として用いられる。
【００１３】
日本国特許出願公開ＪＰ５９−０４９３１６号には、シリンダーライナー壁を通過する流入スリットの二つのリングを持つエンジンが示されている。流入スリットの上側のリングは、チェックバルブ１１が配置された空気供給管に接続さている。
【００１４】
日本国特許出願公開ＪＰ６２−１２９５１８号には、吸入バルブ本体が流入スリット周辺のシリンダーライナーを囲むようにリングが形成されているものが開示されている。それらは、回転しないバルブとして動くバルブ本体を形成したリングにヒンジ接続されたフラップバルブであり、その流入スリットは、燃焼チャンバー内の圧力が掃気領域よりも高くなると、掃気領域内の過剰圧力に逆らって開くものである。
【００１５】
日本国特許出願公開ＪＰ６２−１２９５２９号にも、似た吸入バルブが開示されている、ヒンジ接続されたフラップの代わりにバルブリードは一端をバルブ本体に固定され、自身の柔軟性によって曲るものである。燃焼チャンバーからの過剰圧力にぶつかられた場合、それらはバルブ本体の隣接面と逆方向に押し、流入スリットは閉じられる。
【００１６】
シリンダーライナー上に搭載するよりも、シリンダーライナー内のほうが、上述の吸入バルブは配置し易い。しかしながら、もし、通常のエンジンのシリンダーライナー直径の薄い寸法を心に留めておくのであれば、流入スリットの高さは成人男性の前腕程の大きさになり、複雑に整形されたリング部品は製造しづらく、シリンダーライナーに搭載しづらいものとなる。
【先行技術文献】
【特許文献】
【００１７】
【特許文献１】ヨーロッパ特許出願ＥＰ１７８８２１８ＡＺ
【００１８】
【特許文献２】日本国特許出願公開ＪＰ５９−２０３８２０号
【００１９】
【特許文献３】日本国特許出願公開ＪＰ５９−０４９３１６号
【００２０】
【特許文献４】日本国特許出願公開ＪＰ６２−１２９５１８号
【００２１】
【特許文献５】日本国特許出願公開ＪＰ６２−１２９５２９号
【発明の概要】
【発明が解決しようとする課題】
【００２２】
したがって、この発明の目的は、一般的な大型２ストロークエンジン、特に大型２ストロークディーゼルエンジンのシリンダーライナーと吸入バルブにおいて、一方では吸入バルブの実用的な製造を可能とし、エンジンへの組み込みを可能とし、他方では、エンジン効率を良いものとし、小型吸入バルブの位置要求を可能とするものである。
【課題を解決するための手段】
【００２３】
吸入バルブを考慮して、この目的は、請求項１記載の構成で解決されるものである。シリンダーライナーを考慮して、この目的は請求項１３の構成で解決されるものである。エンジンを考慮して、この目的は請求項１５の構成で解決されるものである。
【００２４】
発明によると、バルブ本体からなり可動バルブ要素を備える前記吸入バルブは、流入スリットの前記リングの流入スリットのそれぞれ一つが通り抜ける気体流通路を開口および閉口するように設計されている。この目的を達成するために、前記バルブ本体は、個々の流入スリットに取り付け可能であり、複数のガス流路によって単に貫通している流入スリットそれぞれを閉じるような形状である。吸入バルブの可動バルブ要素は、前記いくつかのガス流路を開口および閉口できるように設計し配置されている。
【００２５】
さらに、流入スリットの前記リングの全ての流入スリットが個々に吸入バルブとして製造され、前記吸入バルブを個々の吸入バルブとして製造することができ、隣接する流入スリットそれぞれ一つの前記リングの流入スリットに十分な空間でできるように、前記吸入バルブは設計され、吸入バルブのバルブ本体は搭載される。
【００２６】
その上、前記バルブ本体は、前記流入スリット内に対応するように形成した収容部を実質的に備えており、それらによって、少なくとも部分的に流入スリットを詰めており、そして前記可動バルブ要素は、前記個々の流入スリット内に少なくとも実質的に隙間なく詰めて収容される。言い換えれば、前記吸入バルブは、前記バルブ本体と可動バルブ他所を備えるように成型され、全体として吸入バルブとなり、前記個々の流入スリット内に少なくとも実質的に隙間なく詰めて収容される。
【００２７】
前記バルブ本体を、少なくとも実質的にエンジンシリンダー上にある状態で吸入バルブを組み、個々の流入スリットに適合させ、前記可動バルブ要素を、エンジンシリンダー上にある状態で吸入バルブを組み、少なくとも実質的に個々の流入スリット内に適合するように形成した場合、結果として、エンジン効率はさらに向上した。なぜなら、ピストンの爆発工程の間、吸気口が閉じられたからである。前記燃焼チャンバー内側と前記閉じられた吸入バルブそれぞれの間の流入スリット内の体積は、ピストンの爆発工程の間、燃焼チャンバー内の圧縮を減少させる死容積となり、燃焼チャンバー内のガスは、前記流入スリット内の死容積内へある程度逃げることができる。つまり、流入スリットの前記リングの前記流入スリット内の死容積を減らすのに有利である。前述の収容部は、個々の流入スリット内に収容されたバルブ本体および／または個々の流入スリット内に収容された前記可動バルブ要素であり、前述の個々の流入スリットは、それら自身によって死容積を減らすように少なくとも部分的に詰められている。
【００２８】
そして前述のバルブ本体全体は、少なくとも実質的に個別の流入スリット内に適応しているか適応可能なものであり、前述の可動バルブ要素は、少なくとも実質的に個々の流入スリット内に抵抗しており、吸入バルブ全体は、少なくとも実質的に個別の流入スリットないに適応可能か抵抗しているものである。そして前述の吸入バルブは、少なくとも実質的に流入スリットの中にあり、前記シリンダー外周外側周辺の吸入バルブ設置位置は最小化されている。全体的にエンジンを細くし、他の集合体が吸入バルブより大きく、その結果できるだけ効率的または安くするのが有利である。つまり有利な点は、前記収容部を備えるバルブ本体となる流入スリットのリングの外径に必要なスペースの減少を考慮したことである。
【００２９】
大型２ストロークユニフローエンジンにおいて、この発明は、部分的にシリンダーライナーによって形成されることができる円筒壁のシリンダーを、少なくとも一つ有する。前述の円筒壁は、前記円筒壁を通過する流入スリットのリングの少なくとも一つによって貫通されている。前記流入スリットのリングの個々の流入スリットそれぞれは、この発明に係る吸入バルブを一つずつ別々に設けられている。
【００３０】
特に、前記吸入バルブの外観と形状は、おおよそ大人の手首の大きさの細長い横断面をもつ流入スリットの形状と寸法と形状によって決定されるものであり、この発明の吸入バルブは、現在知られている環状タイプで比較的大型の吸入バルブと比較して、相対的にシリンダー、シリンダーライナーそれぞれの壁に搭載しやすい。さらに、この発明は（例えば鋳造バルブ本体を）とても製造しやすいものである。それぞれのシリンダーライナーのシリンダーの流入スリットの前記リングのそれぞれの流入スリットのための個々の吸入バルブについて、吸入バルブ寸法の比較的小型化をするだけでなく、不具合のある吸入バルブ仕様の変更可能もするものであり、保守期間に都合が良い。
【００３１】
前述のシリンダー外側から吸入バルブを搭載する場合、搭載と整備を容易にするのに有利であると理解される。そしてこの発明において、「前記バルブ本体は複数のガス流路によって貫通されている」という用語は、前記ガス流路でバルブ本体すべてを覆うという意味のみを示すものではない。バルブ本体は、一つ以上のガス流路の周辺の一部分だけで形成され、そして、前記流入スリットの円周方向壁によって周囲のその他部品が形成されることができる。さらに、この発明においては、「バルブ本体が複数の可動バルブ要素を持つ」という用語は、バルブ本体に固定される可動バルブ要素に限定されるものではない。前記可動バルブ要素は、バルブ本体と、専用の流入スリットの円周方向壁内側との間に、それら自身をバルブ本体に保ち、位置止めすることができる。
【００３２】
好都合な事象をさらに発展させると、前記エンジンの吸入バルブそれぞれは、個々の流入スリット内に組み上げた状態において、燃焼チャンバー内から個別の流入スリットに向かうガスの境界となる状態で閉じるように内側面を形成し、燃焼チャンバー内のガスにさらすように設計し搭載することができる（例えば、燃焼チャンバーの内面に向かい合う表面を、流入スリットの内側にすることができる）。閉じられた吸入バルブの最も内側面は、可動バルブ要素の燃焼チャンバーが向き合う側に死容積がなくなるように、少なくとも部分的に可動バルブ要素が形成されているのが望ましい。
【００３３】
この点において、前記複数の可動バルブ要素は、複数のリード、リード舌端またはスプリングリードとして平坦かつ曲るように有利に形成され、結果として個別の流入スリットに向かう燃焼チャンバー内側のガスの境界を閉じる状態に内側表面を形成し燃焼チャンバー内のガスを放出する部品を、簡単に形成することができる。このようにリード舌端は、専用の流入スリット内側に十分に配置することができ、吸入バルブを閉じた最内側の表面の部品として形成することができる。しかしながら、リードは、燃焼チャンバーの容積内へ絶対に曲ってはいけないものであると理解される。リード舌端の可動バルブ要素が一つ以上のタイプを使用することが好ましくあるが、可動バルブ要素として受動的に動く他の手段として思いつくものは用いることができる（例えば、ヒンジ固定されたフラップなど）。これに関連して、「受動的に動く」が意味するのは、燃焼チャンバー内の圧力と掃気領域内の圧力との間の圧力差によって、各自のバルブ要素が単一で作動することである。それらによる前記吸入バルブのための外からの能動的制御は、費用が高く、エンジンタイミングを同期させるのが困難な為、避けられることができる。さらなる展開として、複数の可動バルブ要素またはリード舌片は、前記収容部に保有されるのが好ましい。
【００３４】
バルブ本体は、シリンダー上にある専用の流入スリットそれぞれに設置される必要がある。ここで考慮に入れられるのは、バルブ本体が、流入スリット内の収容部それぞれ自身を固定するための力に強制されることである。バルブ本体は収容部のみによって構成することもできる。
【００３５】
しかしながら、そのようなバルブ本体の吸入バルブを安全に交換または搭載することは、困難である。したがって、シリンダーライナーまたはシリンダーについて、この発明では、少なくとも一つの流入スリットのリングを有するものであり、そこにおいて、前記流入スリットのリングの流入スリットそれぞれは、前記吸入バルブのための取り付け手段が設けられている離れた吸入バルブの一つと流入スリットのリングの流入口としてそれぞれ形成されている。
【００３６】
しかしながら、流入スリットの前記リング内の流入スリットの間にあるランド部は、それぞれ一斉に流入スリットを通る流通路のサイズは最大限にするために、できるだけ狭くすべきである。流入スリットを通る気体流通路それぞれのサイズは、吸入バルブが流入スリット内に適応させるものとして、他方においてすでに限定される。
【００３７】
個別の流入スリットにおいて簡単に係合可能・解除可能で「収容のみ」のバルブ本体の望ましい搭載として、個々の流入スリットそれぞれにおけるシリンダーまたはシリンダーライナーの前記取り付け手段は、前記吸入バルブのバルブ本体それぞれの上に形成された噛合突起のための、個々の流入スリットそれぞれの前記内周表面の側面部分と、シリンダー円周方向壁の外側表面のエッジにおいてテーパー加工した噛合凹部、からなるものとするのが好ましい。同様に吸入バルブそれぞれは、両側面上の収容部の横断面最外側周辺に、前記個々の流入スリットの噛合凹部内に連結されるための、横方向に一端が飛び出した噛合突起からなるものとしてもよく、そこにおいて前記噛合突起は、テーパー加工された奥の内部に連結するようにテーパー加工されるのが好ましい。
【００３８】
シリンダーライナーまたはシリンダーの取り付け手段は、さらに、吸入バルブの前記リングに隣接する二つの吸入バルブの間の介入ランド部それぞれに、ネジ穴を備えることができ、そうであれば、介入ランド部が要求する狭さであると、円筒壁の材料内に延びるそれぞれの単列のネジ穴とするのが好ましい。吸入バルブのリングの二つの隣接する吸入バルブの間の介入ランド部上にはそれぞれ、前記介入ランド部内のネジ穴にネジをねじ込み固定された載桟を設けることができる。前記載桟は、前記介入ランド部の横側面上方を突き出てもよく、流入スリットのリングの二つの隣接する流入スリット内にある二つの隣接した吸入バルブを押さえてもよい。もう一つの方法として、ネジ頭が、前記介入ランド部の横表面上において片持ち梁状としてもよく、流入スリットのリングの二つの隣接する流入スリット内にある二つの隣接した吸入バルブを押さえてもよい。
【００３９】
この発明またはバルブ本体として全体的なこの発明の吸入バルブのバルブ本体の収容部の形状と寸法は、シリンダーまたはシリンダーライナーの流入スリットのリングをこの発明に従える場合、所定の流入スリットの形状に成型する。流入スリットは、一般的に、横断面に対して忠実に、円筒壁の外側から円筒壁の内側へ導くように、そしてシリンダー軸の方向に引き延ばされるように形成する。ということは、隣接する流入スリットの間に介在する前記ランド部は、外側から内側にかけて細い形状にすることとなる。さらに、前記流入スリットは、通常、シリンダーの半径方向に延びる平滑面と並行に配置された平面を有する。流入スリットのリングの前記流入スリットそれぞれの方向が、燃焼チャンバー内の掃気ガスの回転流を生じさせガスの混合を向上させるために、シリンダーの半径方向に対して角度を有しつつシリンダー壁面を通り抜けるのが望ましく、最も好ましいのは約１０°〜２５°であり、２０°前後を例示することができる。
【００４０】
この出願の発明の吸入バルブの配列を明確にすると、吸入バルブが取り付けられた流入スリットの配列を参考にすることで定義づけられ、つまりそれは、底部のクランクシャフトにおいてシリンダーが有する垂直軸であると考えられる。吸入バルブは、前述したシリンダーに用いることのみに限定されるものでは決してないことを記す。
【００４１】
上述のような形状の吸入バルブの密封を形成するために、前記バルブ本体の収容部（言い換えると、バルブ本体としての全体）は、（特に吸入バルブが、ガス流路によってのみ貫通された流入スリットの密封を行う成型をするために、単独で前記収容部を備える場合）組み立て済み状態のシリンダー内の前記流入スリット内からの視点において、引き延ばした形状の前記個々の流入スリットの外観、を備えることができる。たとえ、前記吸気バルブ本体が単独の前記収容部を備えていようがいまいが、前記収容部は、組み立てられた状態の流入スリット内の頂点の狭い側の一端に連結壁頭部と、組み立てられた状態の流入スリット内の底部の狭い側のもう一端に連結壁底部を備えてもよく、そして中央部は、前記連結壁頭部と前記連結壁底部とを相互接続し、ガス流路によって貫通されている。
【００４２】
前記連結壁頭部は、前記個々の流入スリットの全体幅を横切る、前記個々の流入スリットの内周表面の頂上部と接触するための外側表面形状を有することができる。（例えば、個々の流入スリット内のバルブ本体の収容部の最外側端から、前記バルブ本体の収容部の最内端に突き出ている凸状に湾曲する壁面、）前述の頂上位置で接触するのが好ましい。そして前記連結壁底部は、前記個々の流入スリットの全体幅を横切る、前記個々の流入スリットの内周表面の底部に接触するための外側表面形状を有することができる。（例えば、個々の流入スリット内の最外端から最内端に突き出ている凸状に湾曲する壁面）前述の底部位置で接触するのが好ましい。その結果、前記収容部の部分は、複数の可動バルブ要素が固定することができないまたは移動するものとなり、全ての材料を備えるものとなる、そして、前述の連結壁部の壁面は、ガス流路の外径寸法に影響を与えないように流入スリット内部容積の主要部分である収容部の最内端へ突き出ようとしており、いずれにしろ、満たされることにより死容積の発生を妨げる。
【００４３】
望ましい更なる発展として、組み上げられた状態における前記個々の流入スリット内の前記中央部は、水平断面において実質的に輪郭の枠が三角形であり、前記連結壁頭部と連結壁底部の間の全長が持続するように固定し形成されており、内側方向にテーパー加工された横側面を有する。個々の流入スリットの内周表面の側面部分の全長と、前記横側面の少なくとも一つ好ましくは両方と、の両方を覆って接触する前記横側面は、前記ガス流路によって貫通されている。中央部は、前記閉口位置においてガス流路を覆うために、複数のリード舌端が、前記横側面の表面上を支持できるという構造と、前記開口位置において前記流入スリットの内周表面の側面部分に向かって曲るために、リード舌端それぞれの外側端が固定される、リード舌端それぞれの内側端が曲げられるという構造とを持つ。
【００４４】
これらの目的を達成するために、好ましい前記横側面は、前記複数のスプリングリードと一致する、複数の好ましくは平坦なサポート表面を備え、そして、複数のスプリングリードは、前記ガス流路を覆う閉口位置において、サポートされる。
【００４５】
前記横側面は、死容積を減らすために、最外端から最内端に引き延ばされているのが好ましい。流入スリットが、吸入バルブを見越して、シリンダーの内側の角度とシリンダーの半径方向の角度によって案内する場合、だけでなく好ましくは、前述の横側面が、枠の三角形が二等辺とならないように、異なる長さを有し、両側面の傾き角度によって二等辺三角形を傾けたような形状（好ましくは約１０°〜２５°）とした場合も、例えば約２０°とすると、燃焼チャンバー内の掃気ガスの流れに回転力を補助というより創出する。
【００４６】
複数のスプリングリードそれぞれが、長方形に形成され、少なくとも組み立てられた状態において、前記中央部側面の外側部側の接続部の一端に接続されている場合、特に前記中央部の上記形状は、前記個々の流入スリット内の内部に延びるようにするのが望ましい。スプリングリードまたはリード舌端それぞれは、中央部に固定される場合があり、または、ただ単に中央部外側表面の間で保持されている場合もあり、噛合突起と流入スリットの内周表面の側面部分がテーパー加工されているのが好ましい。
【００４７】
流入スリット内のテーパー加工済み側面を備える中央部を補助するために、テーパー加工された中央部の横側それぞれに少なくとも一つの上に、個々の流入スリットの内周表面の側面部分に接触するために、横側面の中央部の横側（組み立てた状態において好ましくは水平方向）から突出する、相互間隔の支持用裂部分を複数設けるのが好ましい。
【００４８】
前記中央部は、横側面それぞれが最内側端ランド部と向き合う一側面から側面最外側ランド部の一つが向き合う一側面へ伸びることができるように、連結壁頭部と連結壁底部とを相互接続した２つの側面最外側ランド部と、連結壁頭部と連結壁底部とを接続した最内側端ランド部とを備えるのが好ましい。
【００４９】
前記噛合突起の一つは、側面最外側ランド部それぞれに向かい合う側上に配置することができる。前述の噛合突起は、全体的な側面最外側ランド部に沿って、引き延ばされるのが好ましい。前述の噛合い突起は、前記連結壁頭部と前記連結壁底部の横側において上方を横に突き出るのが好ましい。前記噛合い突起それぞれの横表面は、少なくとも部分的に噛合った側面最外側ランド部の横表面の平各面に対応した形状の噛合い凹部に向かうようにされているのが好ましい。つまり、前記噛合突起それぞれは、共通の横平滑面の有する最外側ランド部対応側面の一体部分として形成することができる。それ故、中央部と共にバルブ本体の全体は、製造（例えば鋳造）が容易な配置となり、低価格なものとなる。その結果、推奨される更なる発展として、バルブ本体が、鋳鉄（好ましくはネズミ鋳鉄）の鋳造物を一体化したものである。
【００５０】
前記複数のガス流路は、一回の成型で作ることができ、好ましくは、前記連結壁頭部と前記連結壁底部と、前記最内側ランド部と前記側面最外側ランド部のそれぞれ一つずつの間に中央部の両側面がある。
【００５１】
前記複数のスプリングリードの固定を安価で信頼できるものとするように、前記中央部は、前記複数のスプリングリードに対応する複数の平滑な接続面と、側面部分に向き合う個々の流入スリットの内周表面の側面部分とを備えることができる。前述の個々の流入スリット内で集合した状態において、前記複数のスプリングリードは、対応する複数の接続面と個々の流入スリットの内周表面の側面部分との間の時に固定される。前述の複数の接続面は、一回の成型で作ることができ、好ましくは、側面最外側ランド部と一体化した一つの横平滑面の両方、より好ましくは、側面最外側ランド部と横平滑面となる位置の両方、さらに好ましくは、側面最外殻ランド部を同時に形成する前記噛合突起の横側面である。それ故、複数のスプリングリードは、前記噛合い突起の横表面と対応した噛合凹部の対応表面との間に固定される。
【００５２】
運搬の簡略化と吸入バルブ搭載の問題について、望ましい更なる改善は、複数のスプリングリードが予め接続されていることである、例えば、接着剤、はんだ付け、スポット溶接などを用いて複数の接続面と接続する。
【００５３】
さらに、ガス流路それぞれの横側上のランド部最内端上にある前記吸入バルブは、複数の対応するスプリングリードのための複数のサポート表面部を形成した複数の平面を備えることができる。前述の複数の平面は、ランド部最内端の各横側上の一つの平面とすることができる。
【００５４】
さらに、前記複数のサポート表面は、相互接続ランド部の横表面によって少なくとも部分的に形成されるものであり、ガス流路の中央部の側面上にあるランド部内側と少なくとも側面最外側ランド部の一つと相互接続する。相互接続ランド部の横表面は、平坦なスプリングリードが吸入バルブ全体の閉口状態を補助するように、ランド部側面最内端と最外端ランド部上の接続面との上に、前記複数の平面に同調して接続されることができる。
【００５５】
相互接続ランド部による補助を備える、吸入バルブの閉口状態内のスプリングリードのバックリングは、掃気領域と比較して８〜１０ｂａｒの過剰圧力が燃焼チャンバー内で発生するのを確実に防ぐ。
【００５６】
さらに、最外側ランド部側面と最内側ランド部との両方を持つ前記吸入バルブは、ランド部内のランド部側面とランド部内面の両方とが垂直に相互接続し、少なくとも過半数の区分裂け目の多数ある領域を備えるのが好ましい。前記ランド部内側の横断面は、近似的に三角形であり、区分裂け目も近似的に三角形である。区分裂け目によってさらに固定されたバルブ本体の収容部が達成される。
【００５７】
区分裂け目が金属製であるがゆえにガス非透過性の場合、ガス流路の上方区分裂け目と下方区分裂け目それぞれによりガス流路の不浸透な区分けという、なおさら重要な効果は達成される。ピストン位置を少なくとも減らすことを回避できない時の場合、そのピストンリングの固定は吸入バルブのリングを通過し、その時、燃焼チャンバー内のガスがピストン下の容積を通過できる。区分裂け目が、前記バルブ本体の中央部の横側面の外側と連続している場合、（例えば支持用裂部内にある場合）この効果は強化される。
【００５８】
つまり、上述の短絡状態を避けるためにものであり、連結壁頭部に隣接する区分裂け目と頂上に接触する壁との間の距離と、連結壁底部に隣接する区分裂け目と連結壁足部との間の距離と、これら二つの区分裂け目それぞれの間にある距離は、ピストンリング設置位置の高さよりも小さいものである。
【発明の効果】
【００５９】
この発明に好都合な吸入バルブを備えた、エンジンのシリンダーまたはシリンダーライナーは、ピストンのストローク圧力の間開口時間を引き延ばすために、さらに、吸入バルブに取り付けまたは製造された前記流入スリットのリングを備えることができる。もう一つの方法として、シリンダーまたはシリンダーライナーが、前記流入スリットのリング一つだけを備える場合、掃気領域と比較して燃焼チャンバー内の過剰圧力が８〜１０ｂａｒを超えたとしても、この発明に係る吸入バルブは、爆発工程の間流入スリットを閉じ続けるように、流入スリットを高い位置とする、または、流入スリットが高い位置に届くように上端を長く作ることができる。
【００６０】
さらに、吸入バルブを備える２ストローク大型ユニフローエンジンの、排気バルブの開口は、ピストンの頂点上の仕事としてシリンダー内の圧力／エネルギーを最大限活用するために爆発工程のピストンがＢＤＣ（Ｂｏｔｔｏｍ  Ｄｅａｄ  Ｃｅｎｔｅｒ：下死点）として閉じるまで妨害される。例えば、爆発工程中の燃焼チャンバー内の２〜３ｂａｒ圧力の時に開かれる。
【図面の簡単な説明】
【００６１】
【図１】図１は、この発明の実施形態による吸入バルブが設けられている発明の実施形態のシリンダーライナーの斜視図である。
【図２】図２は、図１のll-ll線で切り取った部分的断面図である。
【図３】図３は図１と図２に示さされている吸入バルブの一つの斜視図である。
【図４】図４は、開けられた状態の図３の吸入バルブの別の斜視図である。
【図５】図５の斜視図は図４と同様であるが、吸入バルブは閉じられた状態である。
【図６】図６は、吸入バルブのバルブ本体の斜視図であり、前方形状を表している。
【図７】図７は、図３のVll-Vll線で切り取った断面図であり、リードが開いている吸入バルブである。
【図８】図８の断面図は図７と同様であるが、リードが閉じている吸入バルブである。
【図９】図９は、図２のlX詳細の拡大図である。
【図１０】図１０は、図９内のX領域から外側平面を消失させたものを示す。
【発明を実施するための形態】
【００６２】
そして、発明の有利性と特徴は、上に示した添付の図面と共に説明される。
【実施例１】
【００６３】
最初に、図１と２について言及する。それらには、同一に散りばめて流入スリット８が配置され流入スリット８のリング４とした円筒周壁３を有するシリンダーライナー２が、示されている。流入スリットの前記リング４に隣接しそれぞれと対になる流入スリット８は、介入ランド部９によって複数に仕切られ間隔を空けられている。前記流入スリットのリング４の流入スリット８は、図２に示されるような、同一に一般的V字横断面を有する吸入バルブ１が隙間なく詰められており、シリンダーの外側から見てしっかりと内側に収容された個別の流入スリット８となり、外観が連続し各自の流入スリット４の輪郭となる。
【００６４】
前記吸入バルブの一つは、図３、４、５に全体図として示されている。吸入バルブは、通常、細長い形状寸法を有するバルブ本体５からなり、吸入バルブ１が内部でピタリは合うように前記流入スリット８の形状と寸法によって定義づけられている。前記バルブ本体５は、通常、中央部１０で接続された連結壁頭部１３ａと連結壁底部１３ｂとからなる。前記中央部１０は、一方のリード舌端６と反対側のリード舌端７とに続いている。
【００６５】
前記連結壁の頭部と底部１３ａ、１３ｂは、前記シリンダーライナー３の外側から見て流入スリット８それぞれの方向に一定の断面積が凸状に湾曲して突き出た壁を有する。前記中央部１０は、前記連結壁の頭部と底部１３ａ、１３ｂの最外端から、前記連結壁の頭部と底部１３ａ、１３ｂの最内端まで、内部が側面両方に突き出るようにテーパー加工された二つの側面を有する。リード舌端またはスプリングリード６、７は、通常、前記中央部１０を通過するガス流路１６（図６）を開け（図４）閉め（図５）するために端部が内部ではためくことができるような、前記中央部１０の各自の横側面の外側終端部の一方側に固定接続された長方形を有する。閉めた位置は中央部１０のそれぞれ側面によって支えられるものであり（図９のＣＬＯＳＥＤ）、そして個別の流入スリット８の円内周表面位置という開けた位置を支えるものである（図１０のＯＰＥＮ）。
【００６６】
前記バルブ本体５は、図６に詳細が示されている。前記バルブ本体の中央部１０は、中央部１０の側面最外端にある側面最外側ランド部１１二つと、テーパー加工された中央部１０の最内側端にある最内側端ランド部１７とを備える。前記最外側と最内側ランド部１１、１７は、前記壁の頭部と底部１３ａ、１３ｂを相互に接続するものである。前記中央部１０の横側面上の相互接続構造または相互接続ランド部１４は、各々の側面最外側ランド部１１と最内側ランド部１７の間で、最外側と最内側ランド部１１、１７に対して垂直に伸びるものである。前記相互接続ランド部１４は、前記閉めた位置（図９のＣＬＯＳＥＤ）において、スプリングリード６、７のための表面１４、２０をサポートする前記最内側ランド部１７の横側面（図７）上の平面２０と一体に形成する。
【００６７】
前記側面最外側ランド部１１の横側面において、例えばスポット溶接によってバルブ本体５にスプリングリード６、７を接続し、平面１８が形成され接続面１８を形成する。前記ガス流路１６は、前記相互接続ランド部１４間の前記中央部１０の横側面を挿通する。前記ガス流路１６は、スプリングリード６、７が前記サポート表面１４、２０に支持された場合（図８、図９のＣＬＯＳＥＤ）閉じられ、そして、スプリングリード６、７が前記流入スリット８の内周壁側面部分に支持された場合（図７、図９のＯＰＥＮ）開けられる。
【００６８】
テーパー加工された前記中央部１０のそれぞれの側面上に、２つ共通に空間付けされた支持用裂部１２が設けられている。前記支持用裂部７は、前記流入スリット８内のバルブ本体５を補助するために、側面に沿って突出している。つまり、壁位置の頭部から底部１３ａ、１３ｂの範囲の横方向に突出し、前記流入口８の前記内周表面３１側面部分に平行に伸びるものである。図９と図１０をご参照ください。
【００６９】
さらに、前記側面最外側ランド部１１と前記最内側ランド部の両方は、大体において三角形の区分裂け目１５によって側面横側の内部で共通に相互接続されている。前記区分裂け目１５は、隣接の区分裂け目１５の間隔距離に対応する連結壁頭部１３ａと連結部底部１３ｂの距離を各自有する最頭部側から最底部側の区分裂け目１５となる、前記中央部１０全長の上方に分散される。前記距離は、言い換えると、前記シリンダー内で往復するピストンとまとめられたピストンリングの高さよりもやや長いものである。それによって、ピストンの隙間（例えばピストンリング）を通過しピストン下側容積に移動する燃焼チャンバー内ガスの望ましくないショートカットは、少なくとも実質的に閉じられるものである。そのショートカットの大きさは、中央部１０の横側面の前方の空間の横断面に減少される。少なくとも部分的には、前記区分裂け目１５が支持用裂部１２内横側面の外側に続く場合、その横断面も閉じることができる。それ故、燃焼チャンバー内のガス圧は、ピストンの節目を通過し突然低下しないものであり、さらに、前記節目を通過し個別の流入スリット８が開いた場合、掃気領域内の超過圧により、流入スリットの前記リング４の流入スリット８を通過する逃げ圧は止められるものである。
【００７０】
吸入バルブ１は、全体が個別の流入スリット８に収容されるように形成される、図９に見られる態様が最も好ましい。つまり、バルブ本体５は、固定接続されたスプリングリード６、７と共に個別の流入スリット８内でシリンダーの外側から導入するための収納位置を有する。
【００７１】
個別の流入スリット内の前記吸入バルブ１を固定するために、図７、８に最良の態様を見ることができるよう、前記バルブ本体５の前記中央部１０は、両方の横側外端上に、連結壁頭部と底部１３ａ、１３ｂの横端部上方の横方向に、隆起または突き出た噛合突起１９を有する。噛合突起１９は、前記側面最外側ランド部１１の必須部分である。前記噛合突起１９は、噛合わせるためそれぞれに面取り加工した面取部３２またはテーパー加工をした噛合凹部３２のためのものであり、前回介入ランド部９の外側端、前記シリンダーライナー２の外側表面、そして、個別の流入スリット８の前記内周表面の前記側面部分にある（図９、１０の引用符号３１に示されるように）。
【００７２】
では、次に図９と図１０を見てください、前記流入スリット８内の前記吸入バルブ１の形状と固定が説明されています。図９において、「ＣＬＯＳＥＤ」と言葉が記された一つの流入スリット８は、閉じた吸入バルブ１を表しており、「ＯＰＥＮ」と記された隣接の流入スリット８は、開いた吸入バルブ１を表している。これは、図示するためだけの例示であると理解される。
【００７３】
上述したように、吸入バルブ８それぞれは、流入スリットの前記リング４の流入スリット８の間の前記円筒壁３の介入ランド部それぞれの外側横端部に、前記各自の面取部３２に噛合うための前記噛合突起１９を有する。前記噛合突起１９それぞれと側面最外側ランド部１１それぞれの間で共有する表面は、横方向に向き合うものであり、それは図６に示すサポート表面１８であり、そして、噛合凹部３２のそれぞれの面取部の対向する表面に、スプリングリード６、７は挟まれ、それらはその位置に固定される。
【００７４】
前記噛合突起１９は一緒になる噛合凹部３２とぴたりと合う形状であるから、吸入バルブ１全体は、燃焼チャンバーの内部で動かないように固定されている。外向き方向内の個別の流入スリット８の外側への動きに逆らうように吸入バルブ１は固定されており、そこには載桟３４が設けられており、載桟３４それぞれは、前記介入ランド部９の外側面上から固定されており、前記介入ランド部の横端を梁のように覆っている、言い換えれば、前記吸入バルブのバルブ本体５の噛合突起１９を突出して覆うことで、吸入バルブ１をそれぞれの位置内にあるように促すのである。
【００７５】
図１０に最良の態様が見られるように、吸入バルブ１が詰まった前記流入スリットのリング４の前記流入スリット８を通るガスの流れへの外径寸法を最大限とすると、円筒壁３の前記介入ランド部９は、相対的に狭く、単列のネジ穴３３のための場所を設ける。その結果、吸入バルブの取り付けフランジのための空間は十分ではない。この問題は、前記円筒壁３の前記介入ランド部９にネジ閉めすると前記単列のネジ穴３３に入り込むネジ３５で固定される前記載桟３４によって克服される。
【００７６】
図１０は、前記ネジ３４の一つを見ることができるように、シートの面の外側の図９をいくつか相殺したものである。加えて、図１０の吸入バルブ１は、区分裂け目１５のそれらの一つを通り抜ける断面図である。
【００７７】
さらに図９と１０は、シリンダー軸面から見て、流入スリット８が一定の幅を持つことを示している。ということは同様に、前記介入ランド部９は、外側からシリンダー２の内側へむかって狭くなっている。その上、前記流入スリット８の対称軸は、シリンダー放射軸にオフセットで向かうものであり、例えば、流入する掃気ガスに回転を引き起こす目的で、およそ２０°の角度付けが図示されている。バルブ本体５は、シリンダー放射方向に反する流入スリット対称軸の上記オフセットに続くものである。すなわち、前記シリンダー軸の輪郭面の外層は、たとえ、前記吸入バルブが前記流入スリットにあったとしても、図９の大きい矢印に見られる掃気を流入させてスピンを得られるように、二等辺三角形ではなく、一つのリード６を備えた長い方のテーパー側面ともう一つのリード７を備えた短い方のテーパー側面を有するものである。実際には、共通部品として作ることができるように、スプリングリード６、７を同じ長さにすることもできる。
【産業上の利用可能性】
【００７８】
上述の実施例の変更と適応化は、特許請求の範囲から離れない範囲ですることができる。
【符号の説明】
【００７９】
１      吸入バルブ
１０    中央部
１１    チェックバルブ
１２    支持用裂部
１３ａ  連結壁頭部
１３ｂ  連結壁底部
１４    相互接続ランド部（表面）
１５    区分裂け目
１６    ガス流路
１７    最内側ランド部
１８    接続面（平面）
１９    噛合突起
２      シリンダーライナー
２０    表面
２２    接続部
３      円筒壁
３１    内周表面
３２    面取部
３３    ネジ穴
３４    載桟
３５    ネジ
４      リング
５      バルブ本体
６      可動バルブ要素
７      可動バルブ要素
８      流入スリット
９      介入ランド部
【図１】
2013155737.tif 000003
【図２】
2013155737.tif 000004
【図３】
2013155737.tif 000005
【図４】
2013155737.tif 000006
【図５】
2013155737.tif 000007
【図６】
2013155737.tif 000008
【図７】
2013155737.tif 000009
【図８】
2013155737.tif 000010
【図９】
2013155737.tif 000011
【図１０】
2013155737.tif 000012
【外国語明細書】
2013155737.tif 000013
2013155737.tif 000014
2013155737.tif 000015
2013155737.tif 000016
2013155737.tif 000017
2013155737.tif 000018
2013155737.tif 000019
2013155737.tif 000020
2013155737.tif 000021
2013155737.tif 000022
2013155737.tif 000023
2013155737.tif 000024
2013155737.tif 000025
2013155737.tif 000026
2013155737.tif 000027
2013155737.tif 000028
2013155737.tif 000029
2013155737.tif 000030
2013155737.tif 000031
2013155737.tif 000032
2013155737.tif 000033
2013155737.tif 000034
2013155737.tif 000035
2013155737.tif 000036
2013155737.tif 000037
2013155737.tif 000038
2013155737.tif 000039
2013155737.tif 000040
2013155737.tif 000041
2013155737.tif 000042
2013155737.tif 000043
2013155737.tif 000044
2013155737.tif 000045